(57)【要約】【課題】装置内部をメンテナンスする際の作業性を向上させる。【解決手段】記録装置は、被記録媒体に記録を行う記録手段を備えた装置本体部と、前記装置本体部に対して回転することにより開閉可能であり、閉じることにより装置本体部の上面の少なくとも一部を構成し、開くことにより被記録媒体を傾斜姿勢に支持する支持部を露呈させる第１開閉体と、装置本体部に対して回転することにより開閉可能であり、閉じることにより装置本体部の側面の一部を構成し、閉じた状態から開き方向に回転することにより第１開閉体の開閉に必要な領域から退避する第２開閉体と、を備えている。第２開閉体は、第１開閉体により回転させられ、第１開閉体と当接しつつ開く第１開放状態と、第１開放状態から更に開き方向に回転することにより、第１開閉体と第２開閉体との間から装置本体部の内部へのアクセスを可能とする第２開放状態と、を取り得る。【選択図】図６
2020192755.tif 000002
【特許請求の範囲】
【請求項１】
被記録媒体に記録を行う記録手段を備えた装置本体部と、
前記装置本体部に対して回転することにより開閉可能であり、閉じることにより前記装置本体部の上面の少なくとも一部を構成し、開くことにより被記録媒体を傾斜姿勢に支持する支持部を露呈させる第１開閉体と、
前記装置本体部に対して回転することにより開閉可能であり、閉じることにより前記装置本体部の側面の一部を構成し、閉じた状態から開き方向に回転することにより前記第１開閉体の開閉に必要な領域から退避する第２開閉体と、を備え、
前記第２開閉体は、前記第１開閉体により回転させられ、前記第１開閉体と当接しつつ開く第１開放状態と、
前記第１開放状態から更に開き方向に回転することにより、前記第１開閉体と前記第２開閉体との間から前記装置本体部の内部へのアクセスを可能とする第２開放状態と、を取り得る、
ことを特徴とする記録装置。
【請求項２】
請求項１に記載に記録装置において、前記第１開閉体は、開いた状態において前記支持部とともに被記録媒体を傾斜姿勢に支持する、
ことを特徴とする記録装置。
【請求項３】
請求項１または請求項２に記載に記録装置において、前記支持部により支持される被記録媒体を送り出す給送ローラーを備え、
前記第２開閉体が前記第２開放状態をとることにより、前記給送ローラーが露呈する、
ことを特徴とする記録装置。
【請求項４】
請求項３に記載に記録装置において、前記給送ローラーの上部を覆うカバー部材を備える、
ことを特徴とする記録装置。
【請求項５】
請求項３または請求項４に記載の記録装置において、前記第２開閉体が前記第２開放状態をとる際に前記給送ローラーを回転させる制御モードを実行可能である、
ことを特徴とする記録装置。
【請求項６】
請求項１から請求項５のいずれか一項に記載の記録装置において、前記第２開閉体に設けられた被押圧部を押圧するアーム部を有するねじりばねを備え、
前記アーム部は、前記第２開閉体が閉じた状態から少なくとも前記第１開放状態をとるまでは、前記被押圧部に対して前記第２開閉体が閉じる方向のばね力を付与し、前記第２開閉体が前記第２開放状態をとる際は、前記被押圧部に対して前記第２開閉体の回転半径方向に沿ったばね力を付与する、
ことを特徴とする記録装置。
【請求項７】
請求項１から請求項６のいずれか一項に記載に記録装置において、原稿を読み取る読み取り手段及び前記読み取り手段に対し前記原稿を搬送する原稿搬送手段を有する原稿読み取り機構部を前記装置本体部の上部に備え、
前記第１開閉体は、閉じることにより前記原稿読み取り機構部の少なくとも一部を覆う、
ことを特徴とする記録装置。
【発明の詳細な説明】
【技術分野】
【０００１】
本発明は、被記録媒体に記録を行う記録装置に関する。
【背景技術】
【０００２】
被記録媒体に記録を行う記録装置の一例として、特許文献１には、筐体に対して回動可能に設けられた原稿カバーと、筐体の後面側に設けられて、原稿カバーと平行な回動軸線周りに回動する可動部と、を備え、起立状態の可動部に原稿カバーが当接することによって、可動部が原稿カバーの開閉に追従して回動する構成を備えた複合機が開示されている。
【先行技術文献】
【特許文献】
【０００３】
【特許文献１】特開２０１４−２０９７１０号公報
【発明の概要】
【発明が解決しようとする課題】
【０００４】
特許文献１記載の構成では、原稿カバーを開くことで可動部が開くと、記録用紙を傾斜姿勢に支持する支持部材が露呈し、支持部材への記録用紙のセットが可能となる。  
ここで、支持部材と対向する位置には給送ローラーが設けられているが、給送ローラーには紙粉等の異物が付着して給紙性能が低下する場合があり、この様な場合、ユーザーにより給送ローラーのクリーニングが行われる場合がある。特許文献１記載の構成では、給送ローラーのクリーニングは可動部が開いたことで形成される上部開口から行うこととなるが、給送ローラーをクリーニングする際の作業性を考慮して必要以上に上部開口を大きく確保してしまうと、装置内部に異物や塵埃等の入り込みの虞があり、好ましくない。
【課題を解決するための手段】
【０００５】
上記課題を解決する本発明の記録装置は、被記録媒体に記録を行う記録手段を備えた装置本体部と、前記装置本体部に対して回転することにより開閉可能であり、閉じることにより前記装置本体部の上面の少なくとも一部を構成し、開くことにより被記録媒体を傾斜姿勢に支持する支持部を露呈させる第１開閉体と、前記装置本体部に対して回転することにより開閉可能であり、閉じることにより前記装置本体部の側面の一部を構成し、閉じた状態から開き方向に回転することにより前記第１開閉体の開閉に必要な領域から退避する第２開閉体と、を備え、前記第２開閉体は、前記第１開閉体により回転させられ、前記第１開閉体と当接しつつ開く第１開放状態と、前記第１開放状態から更に開き方向に回転することにより、前記第１開閉体と前記第２開閉体との間から前記装置本体部の内部へのアクセスを可能とする第２開放状態と、を取り得ることを特徴とする。
【図面の簡単な説明】
【０００６】
【図１】開閉カバーが閉じた状態のプリンターの外観斜視図。
【図２】開閉カバーが開いた状態のプリンターの外観斜視図。
【図３】開閉カバー及び背面カバーが閉じた状態のプリンターの側断面図。
【図４】開閉カバー及び背面カバーが開く途中または閉じる途中のプリンターの側断面図。
【図５】開閉カバーが開き、背面カバーが第１開放状態をとる際のプリンターの側断面図。
【図６】開閉カバーが閉じ、背面カバーが第２開放状態をとる際のプリンターの側断面図。
【図７】開閉カバー及び背面カバーが閉じた状態のプリンターの外観斜視図。
【図８】開閉カバーが開き、背面カバーが第１開放状態をとる際のプリンターの外観斜視図。
【図９】開閉カバーが閉じ、背面カバーが第２開放状態をとる際のプリンターの外観斜視図。
【図１０】背面カバーが閉じた際の、背面カバーにばね力を付与するねじりばねの正面図。
【図１１】背面カバーが第１開放状態をとる際の、背面カバーにばね力を付与するねじりばねの正面図。
【図１２】背面カバーが第２開放状態をとる際の、背面カバーにばね力を付与するねじりばねの正面図。
【図１３】制御系統のブロック図。
【図１４】給送ローラーのクリーニングモードの流れを示すフローチャート。
【発明を実施するための形態】
【０００７】
以下、本発明について概略的に説明する。  
第１の態様に係る記録装置は、被記録媒体に記録を行う記録手段を備えた装置本体部と、前記装置本体部に対して回転することにより開閉可能であり、閉じることにより前記装置本体部の上面の少なくとも一部を構成し、開くことにより被記録媒体を傾斜姿勢に支持する支持部を露呈させる第１開閉体と、前記装置本体部に対して回転することにより開閉可能であり、閉じることにより前記装置本体部の側面の一部を構成し、閉じた状態から開き方向に回転することにより前記第１開閉体の開閉に必要な領域から退避する第２開閉体と、を備え、前記第２開閉体は、前記第１開閉体により回転させられ、前記第１開閉体と当接しつつ開く第１開放状態と、前記第１開放状態から更に開き方向に回転することにより、前記第１開閉体と前記第２開閉体との間から前記装置本体部の内部へのアクセスを可能とする第２開放状態と、を取り得ることを特徴とする。
【０００８】
本態様によれば、前記第２開閉体は、前記第１開閉体により回転させられ、前記第１開閉体と当接しつつ開く第１開放状態と、前記第１開放状態から更に開き方向に回転することにより、前記第１開閉体と前記第２開閉体との間から前記装置本体部の内部へのアクセスを可能とする第２開放状態と、を取り得るので、前記第２開閉体を前記第２開放状態とすることで、前記装置本体部の内部のメンテナンス作業を行うことができる。また、前記第１開閉体と前記第２開閉体との間の開口は、被記録媒体をセットする為の開口とは別の開口であることから、メンテナンス作業の作業性を考慮して大きく確保することができる。更に前記第１開閉体と前記第２開閉体との間の開口は、前記装置本体部の側面に形成されることとなるので、前記装置本体部の内部への異物や塵埃等の入り込みも抑制できる。
【０００９】
第２の態様は、第１の態様において、前記第１開閉体は、開いた状態において前記支持部とともに被記録媒体を傾斜姿勢に支持することを特徴とする。  
本態様によれば、前記第１開閉体は、開いた状態において前記支持部とともに被記録媒体を傾斜姿勢に支持するので、被記録媒体をより適切に傾斜姿勢に支持できる。
【００１０】
第３の態様は、第１のまたは第２の態様において、前記支持部により支持される被記録媒体を送り出す給送ローラーを備え、前記第２開閉体が前記第２開放状態をとることにより、前記給送ローラーが露呈することを特徴とする。
【００１１】
本態様によれば、前記支持部により支持される被記録媒体を送り出す給送ローラーを備え、前記第２開閉体が前記第２開放状態をとることにより、前記給送ローラーが露呈するので、前記給送ローラーのメンテナンス作業を容易に行うことができる。
【００１２】
第４の態様は、第３の態様において、前記給送ローラーの上部を覆うカバー部材を備えることを特徴とする。  
本態様によれば、前記給送ローラーの上部を覆うカバー部材を備えるので、前記給送ローラーへの塵埃等の付着を抑制でき、また、記録装置がインクジェット式の場合においては、前記給送ローラーへのインクミストの付着を抑制できる。
【００１３】
第５の態様は、第３のまたは第４の態様において、前記第２開閉体が前記第２開放状態をとる際に前記給送ローラーを回転させる制御モードを実行可能であることを特徴とする。  
本態様によれば、前記第２開閉体が前記第２開放状態をとる際に前記給送ローラーを回転させる制御モードを実行可能であるので、前記給送ローラーのクリーニングを容易に行うことができる。
【００１４】
第６の態様は、第１から第５の態様のいずれかにおいて、前記第２開閉体に設けられた被押圧部を押圧するアーム部を有するねじりばねを備え、前記アーム部は、前記第２開閉体が閉じた状態から少なくとも前記第１開放状態をとるまでは、前記被押圧部に対して前記第２開閉体が閉じる方向のばね力を付与し、前記第２開閉体が前記第２開放状態をとる際は、前記被押圧部に対して前記第２開閉体の回転半径方向に沿ったばね力を付与することを特徴とする。
【００１５】
本態様によれば、前記ねじりばねにより、前記第２開閉体は閉じた状態から少なくとも前記第１開放状態をとるまでは閉じる方向の外力が付与されるので、前記第２開閉体を容易に閉じることができる。また前記ねじりばねは、前記第２開閉体が前記第２開放状態をとる際は、前記被押圧部に対して前記第２開閉体の回転半径方向に沿ったばね力を付与するので、前記第２開放状態を維持することができ、前記装置本体部の内部のメンテナンス作業を容易に行うことができる。
【００１６】
第７の態様は、第１から第６の態様のいずれかにおいて、原稿を読み取る読み取り手段及び前記読み取り手段に対し前記原稿を搬送する原稿搬送手段を有する原稿読み取り機構部を前記装置本体部の上部に備え、前記第１開閉体は、閉じることにより前記原稿読み取り機構部の少なくとも一部を覆うことを特徴とする。  
本態様によれば、前記第１開閉体は、閉じることにより前記原稿読み取り機構部の少なくとも一部を覆うので、前記原稿読み取り機構部への塵埃等の侵入を抑制できる。
【００１７】
以下、本発明を具体的に説明する。  
尚、各図においてＸ軸方向は装置幅方向であり、−Ｘ方向は装置前面をユーザーと対面させた際にユーザーから見て右方向となり、また＋Ｘ方向は同左方向となる。またＸ軸方向は、後述する装置本体部２において記録ヘッド２２と対向する領域での用紙搬送方向と交差する方向、即ち用紙幅方向となる。  
Ｙ軸方向は装置奥行き方向であり、＋Ｙ方向は装置背面から前面に向かう方向であり、−Ｙ方向は装置前面から背面に向かう方向である。本実施形態において装置の周囲を構成する複数の側面のうちチルトパネル６が設けられた側面が装置前面となり、その反対の側面が装置背面となる。またＹ軸方向のうち＋Ｙ方向は、後述する装置本体部２において記録ヘッド２２と対向する領域での用紙搬送方向となる。  
Ｚ軸方向は鉛直方向であり、＋Ｚ方向は鉛直上方向、−Ｚ方向は鉛直下方向となる。
【００１８】
図１及び図２において記録装置の一例であるインクジェットプリンター１は、装置本体部２の上部に、原稿を読み取る読み取り機構部３を備えて成る、所謂複合機である。以下、インクジェットプリンター１は、プリンター１と略称する。  
装置本体部２は、被記録媒体の一例である記録用紙に記録を行う機能を有し、読み取り機構部３は、原稿を読み取る機能を有する。
【００１９】
装置本体部２は、装置前面に、プリンター１の電源オンオフ操作を行う為の電源ボタン８及びその他各種操作を行う為の操作部７を有するチルトパネル６を備えている。チルトパネル６は、回転軸６ａ（図３参照）を中心に回転することで、チルト可能となっている。操作部７には、各種情報表示を行う表示部７ａが設けられている。  
チルトパネル６は、装置本体部２の色、例えば白色或いは白色に近い色に対し、暗色系の色、例えば黒色或いは黒色に近い色で形成されている。これにより、チルトパネル６及び操作部７を目立つ様にしている。  
また装置前面には前面カバー９を備えており、前面カバー９は回転軸９ａ（図３参照）を中心に回転することで、図１及び図２に示す様に閉じた状態と、記録が行われて排出される記録用紙の排出経路を開放する開いた状態（不図示）と、を取り得る。
【００２０】
装置本体部２は、上面の前方側が開閉カバー４によって構成されている。開閉カバー４は、不図示の回転軸を中心に回転することで、図１及び図２に示す様に閉じた状態と、装置本体部２の内部を露呈させる開いた状態（不図示）と、を取り得る。開閉カバー４を開くことで、例えば詰まった記録用紙の除去や、後述するインクタンク２１へのインクの補充が実行可能となる。  
開閉カバー４には前方覆い部４ｂが一体に設けられている。開閉カバー４の上面４ａと前方覆い部４ｂはほぼ直角を成しており、開閉カバー４が閉じ且つチルトパネル６が閉じた状態では、図１及び図２に示すように前方覆い部４ｂの表面とチルトパネル６の表面とが面一となる。
【００２１】
前方覆い部４ｂには状態表示部７１が設けられている。状態表示部７１はＬＥＤ等の発光手段によってプリンター１の各種状態を表す為の発光部であり、例えば電源投入により点灯し、エラー発生時には点滅する。本実施形態において状態表示部７１の点滅によって報知されるエラーには、用紙切れ、紙ジャム、インク切れ、などが含まれる。尚、点滅する際の間隔の違いや表示色の違いを利用してエラー内容を区別することもできる。この様な状態表示部７１により、装置の状態を容易に把握することができる。  
尚、状態表示部７１は、発光を際立たせる為、前方覆い部４ｂの色、例えば白色或いは白色に近い色に対して暗色系の色、例えば黒色或いは黒色に近い色で形成されている。これにより、装置の状態を容易に把握することができる。
【００２２】
チルトパネル６及び前方覆い部４ｂの下には前面カバー９が開閉可能に設けられており、図１及び図２は前面カバー９が閉じた状態を示している。図示するように前面カバー９が閉じた状態では、前面カバー９の表面、前方覆い部４ｂの表面、チルトパネル６の表面、のこれらが面一となり、垂直に沿った面を形成する。  
前面カバー９を開くことで、装置前方に向けて排出される記録用紙を受ける排出トレイ２９（図３）を引き出すことができる。
【００２３】
装置上面における後方側には、開閉カバー１０が設けられている。開閉カバー１０は、回転軸１０ｃ（図３〜図６参照）を中心に回転することで、図１、図３、図６、図７、図９に示す閉じた状態と、図２、図５、図８に示す開いた状態とを取り得る。  
開閉カバー１０を開くと、一例として図２に示す様に読み取り機構部３が露呈し、原稿の読み取りが実行可能となる。また開閉カバー１０を開くと、記録用紙を差し入れる開口部２ａが露呈し、後述する支持部１２への記録用紙のセットが可能となる。図２において矢印Ａは、記録用紙のセット方向を示している。  
開閉カバー１０は、装置本体部２に対して回転することにより開閉可能であり、閉じることにより装置本体部２の上面の少なくとも一部を構成し、開くことにより記録用紙を傾斜姿勢に支持する支持部１２（後述）を露呈させる第１開閉体の一例である。  
また開閉カバー１０は、閉じることにより後述する読み取り機構部３の全域を覆い、これにより読み取り機構部３への塵埃等の侵入を抑制する。
【００２４】
以下、図３〜図５を参照しつつ、装置本体部２における記録用紙の搬送経路について説明する。  
装置後方には支持部１２が設けられており、給送前の記録用紙は、支持部１２と、図５に示す様に開いた状態の開閉カバー１０の裏面で構成される用紙支持面１０ａとによって傾斜姿勢で支持される。  
支持部１２は不図示の揺動軸を中心に揺動可能に構成されており、揺動することで、支持した記録用紙を給送ローラー１３に対して進退させる。
【００２５】
給送ローラー１３は回転することにより、記録用紙を下流に送り出す。給送ローラー１３と対向する位置には回転抵抗が付与された分離ローラー１４が設けられており、この分離ローラー１４が給送ローラー１３との間でニップ領域を形成することにより、記録用紙の重送が防止される。  
尚、図５において符号Ｐｄで示す二点鎖線は、給送ローラー１３により送り出され、搬送される記録用紙の搬送軌跡を示している。
【００２６】
給送ローラー１３により送り出された記録用紙は、搬送ローラー対１７に到達する。搬送ローラー対１７は、不図示の駆動源により駆動される駆動ローラー１８と、従動回転する従動ローラー１９とで構成されており、記録用紙はこの両ローラーによりニップされ、記録ヘッド２２と対向する領域、即ち記録領域に送られ、記録が行われる。
【００２７】
記録ヘッド２２を備えるキャリッジ２０は、Ｘ軸方向に延びるメインフレーム２４にガイドされつつ、不図示の動力源によってＸ軸方向に往復動する。記録ヘッド２２は、キャリッジ２０の移動動作に伴い、記録用紙に対してインクを吐出する。  
キャリッジ２０にはインクタンク２１が搭載されており、このインクタンク２１から記録ヘッド２２へとインクが供給される。  
尚、本実施形態においてインクタンク２１は不図示のインク供給口を備えており、このインク供給口からインクタンク２１へのインクの補充が可能に構成されている。
【００２８】
記録ヘッド２２と対向する位置には支持リブ３１が設けられており、記録ヘッド２２により記録の行われる記録用紙は、支持リブ３１によって支持される。  
支持部１２に対して搬送方向下流には、図３に示す様に記録の行われた記録用紙を装置前方に向けて排出する排出ローラー対２６が設けられている。排出ローラー対２６は、不図示の駆動源により駆動される駆動ローラー２７と、従動回転する従動ローラー２８とで構成されており、記録用紙はこの両ローラーによりニップされ、装置前方に向けて排出され、引き出された状態の排出トレイ２９によって支持される。
【００２９】
以上が装置本体部２の構成であり、以下、装置本体部２の上部に設けられた読み取り機構部３について図２及び図５を参照して説明する。  
読み取り機構部３は、入口トレイ４０と、上部ユニット３６と、下部ユニット３７と、排出トレイ５３と、によって全体が構成されている。
【００３０】
読み取りを行う原稿は、その先端側が入口トレイ４０により支持され、後端側が開閉カバー４（図２参照）の上面４ａ（図２参照）に支持される。図２において矢印Ｂは、読み取り原稿のセット方向を示している。また図２において符号Ｇｐは、入口トレイ４０と、装置本体部２の上面４ａとで支持される、セットされた原稿を示している。また図２において符号３８ａ、３８ｂは、セットされた原稿の側端をガイドするエッジガイドである。  
読み取り機構部３における原稿読み取り時の際の原稿搬送方向は概ね−Ｙ方向であり、入口トレイ４０に対し原稿搬送方向の下流には図５に示す様に搬送ローラー対４１が設けられており、原稿は搬送ローラー対４１によりニップされ、原稿搬送方向の下流へと送られる。  
尚、読取機構部３は、暗色系の色、例えば黒色或いは黒色に近い色で形成され、開閉カバー４は白などの明度の高い色で形成されている。これにより読取機構部３の使用の際、センサーモジュール５５に対する外光の影響を抑えることができる。また、原稿をセットする際に、多くの場合白色である原稿と、入口トレイ４０とのコントラストが大きくなり、原稿が見やすくなり、またエッジガイド３８ａ、３８ｂ（図２参照）により原稿を位置決めし易いなどの効果を得ることができる。
【００３１】
搬送ローラー対４１に対し原稿搬送方向の下流には読み取り手段としてのセンサーモジュール５５がＸ軸方向に延設されている。センサーモジュール５５には光学縮小方式（CCD方式）や密着センサー方式（CIS方式）を採用でき、本実施形態では密着センサー方式（CIS方式）を採用する。  
センサーモジュール５５の下流には、読み取りの行われた原稿を排出する排出ローラー対４８が設けられており、読み取りの行われた原稿は排出ローラー対４８によりニップされ、排出トレイ５３に向けて排出される。
【００３２】
排出トレイ５３は、斜め上下方向にスライド変位することで、図３に示す非展開状態と図５及び図２に示す展開状態とを切り換え可能に設けられており、また更にサブトレイ５３ａを展開可能に構成されている。サブトレイ５３ａは、回転軸５３ｃを中心に図５の時計回り方向及び反時計回り方向に回転することで、図５において実線で示す展開状態と、２点鎖線及び符号５３ａ＿１で示す収納状態と、を取り得る。  
尚、長尺の原稿は、排出されるとその先端が排出トレイ５３を乗り越え、排出トレイ５３の背後に位置する開閉カバー１０の用紙支持面１０ａによって支持される。
【００３３】
続いて、装置本体部２の背面に設けられた第２開閉体としての背面カバー５について説明する。背面カバー５は、装置本体部２に対して回転することにより開閉可能であり、閉じることにより図７に示す様に装置本体部２の側面の一部、具体的には背面の一部を構成する。  
背面カバー５は、閉じた状態において上部が、第１開閉体としての開閉カバー１０の開閉に必要な領域内に位置しており、開閉カバー１０から外力を受け、閉じた状態から開き方向に回転することにより開閉カバー１０の開閉に必要な領域から退避する。
【００３４】
より詳しくは、背面カバー５は下部の回転軸５ａが、装置本体部２の基体を構成するフレーム３０によって支持されている。そして開閉カバー１０及び背面カバー５の双方が閉じた状態から開閉カバー１０が開く際、図３から図４への変化、及び図４から図５への変化に示す様に背面カバー５の上部に位置する被押圧部５ｃが開閉カバー１０の−Ｙ方向端部により押し下げられ、これにより背面カバー５が開く。図５及び図８は、背面カバー５が開閉カバー１０と当接しつつ開く第１開放状態を示している。
【００３５】
そして背面カバー５は、図５及び図８に示す第１開放状態から更に開き方向に回転することにより、図６及び図９で示す第２開放状態をとることができる。ユーザーは、図５及び図８に示す状態の背面カバー５を、更に開き方向に回転させることで、図６及び図９で示す第２開放状態にすることができる。  
背面カバー５が第２開放状態をとる際、図６に示す様に開閉カバー１０と背面カバー５との間に開口部２ｂが形成され、矢印Ｍで示す様に開閉カバー１０と背面カバー５との間から装置本体部２の内部へのアクセスが可能となり、装置本体部２の内部のメンテナンス作業を行うことができる。  
また、開口部２ｂは、記録用紙をセットする為の開口部２ａとは別の開口部であることから、開口部２ｂを、メンテナンス作業の作業性を考慮して大きく確保することができる。更に開口部２ｂは、装置本体部２の側面である背面に形成されることとなるので、装置本体部２の内部への異物や塵埃等の入り込みも抑制できる。
【００３６】
そして本実施形態では、図６に示す様に、背面カバー５が第２開放状態をとることにより給送ローラー１３が露呈する。これにより、給送ローラー１３のメンテナンス作業を容易に行うことができる。
【００３７】
ここで本実施形態では、給送ローラー１３の上部には、給送ローラー１３の上部を覆うカバー部材１５が設けられている。これにより、給送ローラー１３への塵埃等の付着を抑制でき、また、給送ローラー１３へのインクミストの付着を抑制できる。  
尚、カバー部材１５が給送ローラー１３の上部を覆うため、給送ローラー１３の上方の開口部２ａを介した給送ローラー１３のクリーニング作業は行い難くなるが、本実施形態では背面の開口部２ｂから給送ローラー１３にアクセスが可能であるので、カバー部材１５を備えていても、給送ローラー１３のクリーニング作業を容易に行うことができる。
【００３８】
続いて、図１０、図１１、図１２を参照して背面カバー５にばね力を付与するねじりばね６２について説明する。  
ねじりばね６２は、装置本体部２の基体を構成するフレーム３０に形成されたばね支持部６１に保持されており、ねじりばね６２を構成するアーム部６３が、背面カバー３を構成するばね掛け部５ｂに対してばね力を付与する。尚、図１０〜図１２において符号６０は、フレーム３０において背面カバー５の回転軸５ａを支持する軸支持部である。  
アーム部６３は、基端側の第１アーム部６３ａと先端側の第２アーム部６３ｂとで構成されており、背面カバー５が閉じた状態では、図１０に示す様に第１アーム部６３ａが被押圧部としてのばね掛け部５ｂに当接し、ばね掛け部５ｂを押圧方向Ｆａに押圧する。図１０での押圧方向Ｆａは、背面カバー５を閉じる方向に作用する。
【００３９】
次に、図１１に示す背面カバー５の第１開放状態においても、第１アーム部６３ａがばね掛け部５ｂに当接し、ばね掛け部５ｂを押圧方向Ｆａに押圧し、その押圧方向Ｆａは、背面カバー５を閉じる方向に作用する。  
即ちねじりばね６２は、背面カバー５が閉じた状態から少なくとも第１開放状態をとるまでは、ばね掛け部５ｂに対して背面カバー５が閉じる方向のばね力を付与する。
【００４０】
次に、図１２に示す様に背面カバー５が第２開放状態をとると、第２アーム部６３ｂがばね掛け部５ｂに当接する。第２アーム部６３ｂは第１アーム部６３ａに対して所定の角度を成しており、アーム部６３がこの様に形成されたことで図１２に示す様に背面カバー５が第２開放状態をとり、第２アーム部６３ｂがばね掛け部５ｂに当接すると、第２アーム部６３ｂがばね掛け部を押圧する押圧方向Ｆａが、背面カバー５の回転半径方向に沿った方向となる。  
以上の構成により、背面カバー５が閉じた状態から少なくとも第１開放状態をとるまでは背面カバー５に対し閉じる方向の外力が付与されるので、背面カバー５を容易に閉じることができる。特に本実施形態では、背面カバー５が開閉カバー１０に当接しつつ開く第１開放状態（図５、図８参照）から、開閉カバー１０を閉じると、背面カバー５がそれに追従して閉じることとなり、ユーザー操作によらず背面カバー５を閉じることができる。
【００４１】
そしてねじりばね６２は、背面カバー５が第２開放状態をとる際は、ばね掛け部５ｂに対して背面カバー５の回転半径方向に沿ったばね力を付与するので、背面カバー５の第２開放状態を維持することができ、装置本体部２の内部のメンテナンス作業を容易に行うことができる。  
尚、本実施形態において背面カバー５が第２開放状態をとる際、ねじりばね６２は、ばね掛け部５ｂに対して背面カバー５の回転半径方向に沿ったばね力を付与するが、これに代えて、押圧方向Ｆａが背面カバー５を開く方向に作用する様に構成しても良い。
【００４２】
尚、上記構成に加え、更に背面カバー５の第２開放状態を保持する保持手段を設けることも好適である。この様な保持手段としては、例えば第２開放状態をとる背面カバー５に対しばね力を介して当接するプランジャーや、磁石等で構成することができる。
【００４３】
次に、背面カバー５が第２開放状態をとる際に給送ローラー１３を回転させる制御モードについて図１３及び図１４を参照して説明する。  
図１３に示す様にプリンター１の各種制御を行う制御部６５は、読み取り機構部３、キャリッジ２０の動力源であるキャリッジ駆動モーター６７、記録ヘッド２２、搬送ローラー対１７及び排出ローラー対２６の動力源である用紙搬送用モーター６８、給送ローラー１３の動力源である用紙給送用モーター６９、操作部７を構成する表示部７ａ、のこれらを制御する。  
制御部６５は記憶部６６を有しており、この記憶部６６に、プリンター１の制御に必要な各種プログラムや、プリンター１の制御に必要な各種情報が格納されている。
【００４４】
制御部６５は、図１４に示す様にユーザーが操作部７を介してクリーニングモード実行を指示すると（ステップＳ１０１においてYes）、用紙給送用モーター６９を制御して給送ローラー１３を回転させる（ステップＳ１０２）。  
このときの給送ローラー１３の回転は、用紙給送時よりも充分低速であることが好ましい。これによりユーザーは、給送ローラー１３の外周面を全周に渡って適切にクリーニングすることができる。  
またステップＳ１０２での給送ローラー１３の回転は、所定角度の回転（例えば６０°）と所定時間（例えば数秒）の停止とを交互に行う間欠的な回転であっても良い。また或いは、所定角度回転したら一旦停止し、次の回転をユーザー操作により行う様にしても良い。
【００４５】
そして制御部６５は、ユーザーが操作部７を介してクリーニングモード終了を指示すると（ステップＳ１０３においてYes）、給送ローラー１３を停止させる（ステップＳ１０４）。  
尚、給送ローラー１３は円周の一部が切り欠かれた形状を成しており、装置の停止状態では給送ローラー１３は図６に示す様に切り欠かれた部分が支持部１２と対向する様に制御される。  
以上のようにプリンター１は、背面カバー５が第２開放状態をとる際に給送ローラー１３を回転させる制御モード、いわばクリーニングモードを実行可能であるので、給送ローラー１３のクリーニングを容易に行うことができる。  
尚、背面カバー５が第２開放状態に切り替わったことを検出するセンサーを設け、このセンサーの検出信号をもとに背面カバー５が第２開放状態にあると判断できる状態でのみ、上記クリーニングモードの実行を許容するようにしても良い。また或いは、背面カバー５が第２開放状態に切り替わったことを検出すると、自動で給送ローラー１３を回転させるようにしても良いし（ステップＳ１０２）、また或いはクリーニングモードの実行をユーザーに確認するユーザインタフェースを操作部７の表示部７ａに表示させても良い。
【００４６】
また本発明は上記において説明した各実施形態に限定されることなく、特許請求の範囲に記載した発明の範囲内で、種々の変形が可能であり、それらも本発明の範囲内に含まれるものであることは言うまでもない。
【符号の説明】
【００４７】
１…インクジェットプリンター、２…装置本体部、２ａ…開口部、２ｂ…開口部、３…読み取り機構部、４…開閉カバー、４ａ…上面、４ｂ…前方覆い部、５…後方カバー、５ａ…回転軸、５ｂ…ばね掛け部、５ｃ…被押圧部、６…チルトパネル、７…操作部、８…電源ボタン、９…前面カバー、１０…開閉カバー、１０ａ…用紙支持面、１０ｂ…押圧面、１０ｃ…回転軸、１２…支持部、１３…給送ローラー、１４…分離ローラー、１５…カバー部材、１７…搬送ローラー対、１８…駆動ローラー、１９…従動ローラー、２０…キャリッジ、２１…インクタンク、２２…記録ヘッド、２４…メインフレーム、２４ａ…鉛直部、２４ｂ…第１水平部、２４ｃ…第２水平部、２６…排出ローラー対、２７…駆動ローラー、２８…従動ローラー、２９…排出トレイ、３０…フレーム、３６…上部ユニット、３７…下部ユニット、３８ａ、３８ｂ…エッジガイド、４０…入口トレイ、４１…搬送ローラー対、４２…駆動ローラー、４３…従動ローラー、４５…押さえ部材、４６…圧縮ばね、４８…排出ローラー対、４９…駆動ローラー、５０…従動ローラー、５１…保持フレーム、５３…排出トレイ、５３ａ…サブトレイ、５３ｂ…原稿支持面、５５…センサーモジュール、６０…軸支持部、６１…ばね支持部、６２…コイルばね、６３…アーム部、６３ａ…第１アーム部、６３ｂ…第２アーム部、６５…制御部、６６…記憶部、６７…キャリッジ駆動用モーター、６８…用紙搬送用モーター、６９…用紙給送用モーター、７１…状態表示部
【図１】
2020192755.tif 000003
【図２】
2020192755.tif 000004
【図３】
2020192755.tif 000005
【図４】
2020192755.tif 000006
【図５】
2020192755.tif 000007
【図６】
2020192755.tif 000008
【図７】
2020192755.tif 000009
【図８】
2020192755.tif 000010
【図９】
2020192755.tif 000011
【図１０】
2020192755.tif 000012
【図１１】
2020192755.tif 000013
【図１２】
2020192755.tif 000014
【図１３】
2020192755.tif 000015
【図１４】
2020192755.tif 000016